(57)【要約】      （修正有）【課題】引き戸の閉じ終える手前の位置から閉じ終えるまでの移動と、開き終える手前の位置から開き終えるまでの移動を、ばね付勢で静穏低速で行わせるデュアルソフトクローザを提供する。【解決手段】鴨居側レール２と引き戸の上端部に支持されるソフトクローザ本体３Ａとを備える。ソフトクローザ本体３Ａは、本体側レール４と、前部ローラー５３及び後部ローラー６３と、本体側レール４内の前部進退ユニット７及び後部進退ユニット８とを有する。引き戸を閉じ終える移動は、前部トリガー２１をキャッチした前部カム７４のロック解除により、本体側レール４を前方にばね付勢させて行う。引き戸を開き終える移動は、後部トリガー２２をキャッチした後部カム８４のロック解除により、本体側レール４を後方にばね付勢させて行う。ばね付勢には、ロータリーダンパー８２による反時計回り方向の負荷が加わって静穏低速で行われる。【選択図】図３
2018159241.tif 000002
【特許請求の範囲】
【請求項１】
内側の前後２個所にトリガーを備えた鴨居側レールと、引き戸の上端部に取り付けられるソフトクローザ本体とを有し、
ソフトクローザ本体は、外本体側レールと、該本体レールを前記鴨居側レール内において走行させるローラーと、本体側レール内に配置される前部進退ユニット及び後部進退ユニットとを備え、
前記前部進退ユニットには、前部カムと、後方に長く突出するラックギヤとを備えた前枠材が設けられ、
前記後部進退ユニットの内側には、前記ラックギヤに噛合するピニオンギヤを取り付けたロータリーダンパーと、後部カムとが取り付けられており、
前記前部カムは後方に、前記後部カムは前方に、夫々ばね付勢され、
前記本体側レールと前記前部進退ユニットとは、該前部進退ユニットに設けた前部カムによるロックによって相互の前後移動の規制がされ、
前記本体側レールと前記後部進退ユニットとは、該後部進退ユニットに設けた後部カムによるロックによって相互の前後移動の規制がされ、
前記引き戸の閉じ方向の操作に伴う前記ソフトクローザ本体の前進によって、前記前部カムが引き戸を閉じ終える直前の位置で前記鴨居側レール内の前部トリガーをキャッチすると、該前部カムによるロックが解除されて、前記本体側レールが前記ばね付勢により前記引き戸を引き連れて前方に移動し、
前記引き戸の開方向の操作に伴う前記ソフトクローザ本体の後退によって、前記後部カムが前記引き戸を開き終える直前の位置で前記鴨居側レール内の後部トリガーをキャッチすると、該後部カムによるロックが解除されて、前記本体側レールが前記ばね付勢によって前記引き戸を引き連れて後方に移動し、
これらのばね付勢による前記本体側レールの移動は、前記ロータリーダンパーによる制動トルクにより静穏低速で行われるように構成されていることを特徴とするデュアルソフトクローザ。
【発明の詳細な説明】
【技術分野】
【０００１】
本発明は、引き戸の閉じ終える手前の位置から閉じ終えるまでの移動と、引き戸の開き終える手前の位置から開き終えるまでの移動を、ばね付勢とロータリーダンパーによる制動によって静穏低速で行わせるデュアルソフトクローザに関する。
【背景技術】
【０００２】
引き戸を閉じ終える手前の位置から低速で自動的に閉じさせるソフトクローザとして許文献１にスライドアシスト装置が開示されている。
このスライドアシスト装置は引き戸が閉じる直前の位置から引き戸が閉じ終えるまでの移動を、ばね付勢によって行う構造である。
【先行技術文献】
【特許文献】
【０００３】
【特許文献１】特開２０１３−１５１８５５号公報
【発明の概要】
【発明が解決しようとする課題】
【０００４】
このスライドアシスト装置は、同公報の段落「０００１」において「開閉方向の少なくともいずれか一方向のスライドアシスト力を付与する」と記載されているが、同公報の明細書及び図面には、開閉方向の双方においてスライドアシストする構造を有していない。
引き戸を閉じ方向にスライドアシストして確実に閉じ終えさせるだけでなく、引き戸を開けたときに、確実に閉じ終えさせることが望まれる。
【０００５】
このスライドアシスト装置は、ばね付勢でスライドアシストする構造であるが、引き戸の閉じ速度を低速にさせる構造を有していない。引っ張りばねを並列に設けた構造が図１に示されているが、ばねを並列に設けただけでは引き戸を低速で閉じさせることにはならない、
一般にこの種のスライドアシスト装置は、引き戸の閉じる位置に直線型のオイルダンパーを設けて、ばね付勢された引き戸の閉じ速度を、この直線ダンパーのピストン部で受け止めて負荷を与えて低速にさせるソフトクローザも周知である。しかしながら、引き戸の閉じ速度を低速にさせようとすると、ピストン部の伸縮量が大きい直線型のオイルダンパーを用いる必要があり、長期間の繰り返しの使用によってオイル漏れが生じ易い。
また、引き戸の開閉の両方向で負荷を与えるためには、直線オイルダンパーを２本設ける必要があるためコスト高になる。
【０００６】
本発明は、引き戸の閉じ終える手前の位置から閉じ終えるまでの移動と、引き戸の開き終える手前の位置から開き終えるまでの移動を、ばね付勢とロータリーダンパーとによって、静穏低速で行わせるデュアルソフトクローザを提供することを解決課題とする。
【課題を解決するための手段】
【０００７】
請求項１に係るデュアルソフトクローザは次の構成を備える。
（１）内側の前後２個所にトリガーを備えた鴨居側レールと、引き戸の上端部に取り付けられるソフトクローザ本体とを有する。
（２）ソフトクローザ本体は、外本体側レールと、該本体レールを前記鴨居側レール内において走行させるローラーと、本体側レール内に配置される前部進退ユニット及び後部進退ユニットとを有する。
（３）前記前部進退ユニットには、前部カムと、後方に長く突出するラックギヤとを備えたが前枠材が設けられている。
（４）前記後部進退ユニットの内側には、前記ラックギヤに噛合するピニオンギヤを取り付けたロータリーダンパーと、後部カムとが取り付けられている。
（５）前記前部カムは後方に、前記後部カムは前方に、夫々ばね付勢されている。
（６）前記本体側レールと前記前部進退ユニットとは、該前部進退ユニットに設けた前部カムによるロックによって相互の前後移動の規制がされている。
（７）前記本体側レールと前記後部進退ユニットとは、該後部進退ユニットに設けた後部カムによるロックによって相互の前後移動の規制がされている。
（８）前記引き戸の閉じ方向の操作に伴う前記ソフトクローザ本体の前進によって、前記前部カムが引き戸を閉じ終える直前の位置で前記鴨居側レール内の前部トリガーをキャッチすると、該前部カムによるロックが解除されて、前記本体側レールが前記ばね付勢により前記引き戸を引き連れて前方に移動する。
（９）前記引き戸の開方向の操作に伴う前記ソフトクローザ本体の後退によって、前記後部カムが前記引き戸を開き終える直前の位置で前記鴨居側レール内の後部トリガーをキャッチすると、該後部カムによるロックが解除されて、前記本体側レールが前記ばね付勢によって前記引き戸を引き連れて後方に移動する。
（１０）これらのばね付勢による前記本体側レールの移動は、前記ロータリーダンパーによる制動トルクにより静穏低速で行われるように構成されている。
【０００８】
本発明に係るデュアルソフトクローザは、引き戸を開閉操作したときに、引き戸を完全に閉じ終えない状態や閉じたときの跳ね返り、及び完全に開き終えない状態や開き終えたときの跳ね返りを防ぎ、引き戸を開閉したときの衝撃音の発生を防ぐ。
本発明に係るデュアルソフトクローザは、引き戸の閉じ終える手前の位置から完全に閉じ終えるまでの移動と、引き戸の開き終える手前の位置から完全に開き終えるまでの移動を、ばね付勢で行い、これらの移動に前記ロータリーダンパーによる負荷を与えて、引き戸を静穏低速で移動させる。
引き戸の閉じ終える手前の位置から開き終える手前の位置までのニュートラル領域における引き戸の移動は、ばね付勢ではなく、手動操作で行われる。
【０００９】
引き戸がこのニュートラル領域に位置しているときには、前記前部カムと前記後部カムは、互いに最も離れた位置でロックされており、前記ばねは、最も伸びた状態にある。このため、前記前部カムと前記後部カムは、互いに近づく方向の強いばね付勢されている。
【００１０】
前記前部カムと前記後部カムとが共にロックされた姿勢にあるときに引き戸を手動で開閉方向に操作すると、前記本体側レールと前記前部進退ユニットと前記後部進退ユニットは、一体となって前後移動する。
【００１１】
引き戸の閉じ方向の操作に伴う前記ソフトクローザ本体の前進によって前記前部カムが前記前部トリガーをキャッチすると、前記前部カムはロック解除方向に向く。このロック解除によって前記本体側レールは、前記後部進退ユニットを引き連れて前記引き戸を開き終えさせる位置まで前記ばね付勢により移動する。引き戸が完全に閉じると、前記前部カムは、前記ばね付勢により再びロック姿勢に戻る。
【００１２】
引き戸の開き方向の操作に伴う前記ソフトクローザ本体の後退によって前記後部カムが前記後部トリガーをキャッチすると、前記後部カムはロック解除方向に向く。このロック解除により前記本体側レールは、前記前部進退ユニットを引き連れて前記引き戸を開き終えさせる位置まで前記ばね付勢により移動する。引き戸が完全に開くと、前記後部カムは、前記ばね付勢により再びロック姿勢に戻る。
【００１３】
前記ばね付勢を行うばねは、例えば、引っ張りコイルばね、巻き取り方向にばね付勢された金属テープ板を備えたばね装置、巻き取り方向にばね付勢されたワイヤーを備えたばね装置等が挙げられる。前記ばねは、並列に複数設けて強いばね付勢が得られるようにすることも可能である。
【００１４】
前記ロータリーダンパーは、回転軸を反時計回りに回転させると制動トルクが作用する機種を用いてもよく、漁回転方向に制動トルクが作用する機種を用いてもよい。前者のロータリーダンパーを用いる場合には、回転軸の先端部にピニオンギヤが連れ回りするように固定される。後者のロータリーダンパーを用いる場合には、回転軸に対して時計回り方向には空転し、反時計回り方向には負荷が掛かりながら連れ回りするように、回転軸とピニオンギヤとの間に周知のワンウエイクラッチを介在させる。
【発明の効果】
【００１５】
本発明に係るデュアルソフトクローザによれば、引き戸の開閉の最終工程がばね付勢で行われるため、引き戸を完全に閉じさせたり、完全に開かせたりすることができる。しかもこのばね付勢には前記ロータリーダンパーによる制動力が働いているため、引き戸の開閉が静穏低速で行なわれる。使用するロータリーダンパーは回転型であるため、使用するオイルの量が少なく、回転軸を進退させないため、直線型と比べてオイル漏れが格段に少ない。また、回転型のオイルダンパーを用いると、引き戸の引き込み量を長くすることができる。また、ロータリーダンパーは１個で足りる。
本発明に係るデュアルソフトクローザは、引き戸の開閉の最終工程をばね付勢で行うため、これら最終工程以外の引き戸の移動には、ばねによる負荷が加わらない。このため、引き戸の開閉操作は楽に行える。
【発明を実施するための形態】
【００１６】
本発明の好適なる実施形態を以下の実施例において詳述する。
【図面の簡単な説明】
【００１７】
【図１】本発明実施形態に係るデュアルソフトクローザの使用状態図であり（ａ）は引き戸が全閉手前の位置にある状態を示し、（ｂ）は同じく引き戸全閉手前の位置で示している。
【図２】（ａ）はソフトクローザ本体を引き戸に取り付けた状態を示した斜視図、（ｂ）は同じく正面図。
【図３】デュアルソフトクローザの分解斜視図。
【図４】（ａ）は前部進退ユニットの一部破断部分を含む斜視図、（ｂ）は前部カムの拡大斜視図、（ｃ）は前部進退ユニットの一部を示した正面断面図。
【図５】（ａ）は後部進退ユニットを示した一部破断部分を含む斜視図、（ｂ）は後部カムの拡大斜視図、（ｃ）は後部進退ユニットの正面断面図。
【図６】（ａ）はローラーを介した引き戸の吊り下げ構造を示した側面断面図、（ｂ）は前部カムの取付構造を示したデュアルソフトクローザ前部の側面断面図、（ｃ）は後部カムの取付構造を示したデュアルソフトクローザ後部の側面断面図、（ｄ）はロータリーダンパーの取付構造を示したデュアルソフトクローザ後部の側面断面図。
【図７】引き戸がニュートラ位置にある状態において、（ａ）はデュアルソフトクローザを取り付けた引き戸上部の正面図、（ｂ）はデュアルソフトクローザ前部の拡大正面断面図、（ｃ）はデュアルソフトクローザ前部の拡大正面断面図。
【図８】引き戸が自動で閉じ始める直前の状態において、（ａ）はデュアルソフトクローザを介した引き戸の吊下げ構造を示した正面断面図、（ｂ）はデュアルソフトクローザ前部の拡大正面断面図、（ｃ）はデュアルソフトクローザ前部の拡大正面断面図。
【図９】引き戸が閉じ終えた状態において、（ａ）はデュアルソフトクローザを介した引き戸の吊下げ構造を示した正面断面図、（ｂ）はデュアルソフトクローザ前部の拡大正面断面図、（ｃ）はデュアルソフトクローザ前部の拡大正面断面図。
【図１０】引き戸が自動で開き始める直前の状態において、（ａ）はデュアルソフトクローザを介した引き戸の吊下げ構造を示した正面断面図、（ｂ）はデュアルソフトクローザ前部の拡大正面断面図、（ｃ）はデュアルソフトクローザ前部の拡大正面断面図。
【図１１】引き戸が開き終えた状態において、（ａ）はデュアルソフトクローザを介した引き戸の吊下げ構造を示した正面断面図、（ｂ）はデュアルソフトクローザ前部の拡大正面断面図、（ｃ）はデュアルソフトクローザ前部の拡大正面断面図。
【図１２】（ａ）〜（ｅ）はいずれも引き戸の開閉方向の位置変化に対応した前部カムと後部カムの向きと位置を示した図。
【図１３】（ａ）は第２実施形態に係るデュアルソフトクローザの使用状態を、示した正面図、（ｂ）はその主要部の拡大正面断面図。
【図１４】（ａ）は第２実施形態に係るデュアルソフトクローザについて、引き戸が自動で閉じ始める直前の状態を示した主要部の拡大正面断面図、（ｂ）は同じく引き戸が閉じ終えた状態を示した主要部の拡大正面断面図。
【図１５】（ａ）は第２実施形態に係るデュアルソフトクローザについて、引き戸が自動で開き始める直前の状態を示した主要部の拡大正面断面図、（ｂ）は同じく引き戸が開き終えた状態を示した主要部の拡大正面断面図。
【実施例】
【００１８】
［概要］
図１（ａ）に示すように、本発明実施形態に係るデュアルソフトクローザ１は、引き戸１００を閉じ方向に手動操作して、引き戸１００が全閉手前の位置に達したときに、引き戸１００をばね付勢によって自動的に静穏低速で閉じさせる。
図１（ｂ）に示すように、引き戸１００を開ける方向に手動操作して、引き戸１００が全開手前の位置に達したときにも、引き戸１００をばね付勢によって静穏低速で全開させて戸袋１２０内に収納させる。このため、引き戸１００は完全に閉じ、完全に開く。引き戸１００を閉じ終えたときと開き終えたときに、引き戸１００の跳ね返りや衝突音は発生しない。
【００１９】
本発明実施形態に係るソフトクローザ１は、鴨居側レール２とソフトクローザ本体３Ａとによって構成されている。鴨居側レール２は、下面中央が長さ方向に開口された長尺角枠形状を有し、内側の前後２個所にトリガー（前部トリガー２１、後部トリガー２２が設けられている。鴨居側レール２は、鴨居１１０の内側下面に設けられている溝内に木ねじ止め、又はビス止めされて取り付けられる。
【００２０】
ソフトクローザ本体３Ａは、引き戸１００の上端部に沿って取り付けられる。
引き戸１００は、ソフトクローザ１の前端部と後端部に設けられている引き戸吊り具５，６を介して、鴨居側レール２から吊り下げ支持されて、前後走行移動自在な状態にある。
【００２１】
本発明実施形態に係るソフトクローザ１は、図示する吊り下げ型の引き戸１００以外にも、下端部に戸車を取り付けた引き戸、引き違い戸、窓やクローゼットの扉にも取り付けることが可能である。
【００２２】
［ソフトクローザ本体３Ａ］
図２、図３に示すように、ソフトクローザ本体３Ａは、本体側レール４と、前後の引き戸吊り具５，６と、前部進退ユニット７と、後部進退ユニット８と、ばね９とを備える。
【００２３】
［本体側レール４］
本体側レール４は、上端と前端と後端を開放させた角形の金属成形品で構成されている。本体側レール４の長さ方向の前部の両側面には、前部側の直線長孔４１，４１が前後方向に設けられている。本体側レール４の長さ方向の中央部辺りの両側面にも、後部側の直線長孔４２，４２が前後方向に設けられている。
前部側の直線長孔４１，４１の前端部は、下方に短い切欠き形状の係合部４１ａ，４１ａとなって続いており、後部側の直線長孔４２，４２の後端部も、下方に短い切欠き形状の係合部４２ａ，４２ａとなって続いている。前部側の直線長孔４１，４１と後部側の直線長孔４２，４２とは前後対称形状を有する。
【００２４】
［引き戸吊り具５，６］
本体側レール４の前端部には引き戸吊り具５が装着されており、本体側レール４の後端部にも引き戸吊り具６が装着されている。
引き戸吊り具５，６は、前後の向きを換えると同じ形状になる、前後対照形状である。引き戸吊り具５は、左右２輪で構成される前部ローラー５３と、前部ローラー５３を本体側レール４の前端部に装着する装着部材５２と、装着部材５２の下方に位置する埋込部材５１とによる組付け品で構成されており、埋込部材５１は引き戸１００の前端上面内に装着される。
引き戸吊り具６も同様に、後部ローラー６３と、装着部材６２と、埋込部材６１とによる組付け品で構成されており、埋込部材６１は引き戸１００の後端上面内に装着される。
【００２５】
［前部進退ユニット７］
図３、図４（ａ）に示すように、前部進退ユニット７は、上端と前端と後端を開放させた前後長さの短い角形の前枠材７１と、前部カム７４と、ラックギヤ７３とによる組付け品で構成されている。
【００２６】
図４（ａ）（ｂ）（ｃ）に示すように、前部カム７４は、前枠材７１の横幅よりも若干幅狭い厚みがあり、正面視において横個向き茄子形状を有している。
前部カム７４の後部上面には、横向き角形溝からなるトリガー受け部７４ｃが設けられている。前部カム７４の後部の両側面には、短尺な支軸７４ａ，７４ａが突出しており、前部カム７４の前部両側面には、支軸７４ａ，７４ａよりも長い揺動軸７４ｂ，７４ｂが突出している。前部カム７４の後部から後方には、ばね受け７５が突出支持されている。
【００２７】
図４（ｂ）を参照しつつ図４（ａ）（ｃ）に示すように、前部カム７４は、支軸７４ａ，７４ａが前枠材７１の側面に設けられている支軸突入孔７１ａ，７１ａ内に突入し、揺動軸７４ｂ，７４ｂが前枠材７１の側面に設けられている斜め上下方向の短尺長孔からなる揺動軸支持孔７１ｂ，７１ｂ内に突入して、前枠材７１の内側に上下回動自在に取り付けられている。このため、前部カム７４は、支軸７４ａ，７４ａを中心にして上下回動自在な状態にある。この回動は、揺動軸７４ｂが揺動軸支持孔７１ｂ内に移動する範囲内で行われる。
【００２８】
図３に示すように、ラックギヤ７３は、前方に向けたラックブラケット７２と一体形成されている。図４（ａ）（ｂ）に示すように、ラックブラケット７２が前枠材７１の底板７１ｃの上面に装着されて、ラックギヤ７３が前枠材７１の後方に長く突出している。
【００２９】
［後部進退ユニット８］
図５（ａ）（ｃ）に示すように、後部進退ユニット８は、上端と前端と後端を開放させた前後長さの短い角形の金属成形品からなる後枠材８１と、後部カム８４と、ロータリーダンパー８２とによる酌付け品で構成されている。
後枠材８１は、図４（ａ）に示す前枠材７１と略同じ横幅がある。
図５（ａ）（ｂ）（ｃ）に示すように、後部カム８４は、図４（ｂ）に示す前部カム７４と前後の向きを換えた前後対称形状を有している。８４ａ，８４ａは、後部カム８４の支軸、８４ｂ，８４ｂは揺動軸、８４ｃは、トリガー受け部である。
図５（ａ）（ｃ）に示すように、後部カム８４は、支軸８４ａ，８４ａが後材８１の側面に設けられている支軸突入孔８１ａ，８１ａ内に突入し、揺動軸８４ｂ，８４ｂが後枠材８１の側面に設けられている斜め上下方向の短尺長孔からなる揺動軸支持孔８１ｂ，８１ｂ内に突入して、後枠材８１の内側に上下回動自在に取り付けられている。
【００３０】
ロータリーダンパー８２は、後枠材８１の内側の後部カム８４よりも後方となる片面側に装着されている。ロータリーダンパー８２の回転軸８２ａの先端部にはピニオンギヤ８３が装着されている。ロータリーダンパー８２は、回転軸８２ａの時計回り方向には負荷（回転トルク）か掛からなく、反時計回り方向には負荷（回転トルク）が掛るワンウエイタイプの機種が使用されている。
【００３１】
［本体側レール４、前部進退ユニット７、後部進退ユニット８の組付け構造］
図２（ｂ）、図３を参照しつつ図６（ａ）に示すように、鴨居側レール２の両側面の下端部は、互いに対向する方向に折曲されている。前部ローラー５３，５３は、この折曲された面の上に走行自在に置かれている。後部ローラー６３，６３も同様である。
図６（ｂ）、図７（ａ）（ｂ）に示すように、本体側レール４は、鴨居側レール２の内側に位置している。、本体側レール４の前寄りの内側には前枠材７１が位置している。前部カム７４の揺動軸７４ｂ，７４ｂは、本体側レール４の直線長孔４１（係合部４１ａ，４１ａを含む）内に突入している。
図６（ｃ）、図７（ａ）（ｃ）に示すように、後枠材８１は、本体側レール４の内側に位置している。後部カム８４の揺動軸８４ｂ，８４ｂは、本体側レール４の直線長孔４２（係合部４２ａ，４２ａを含む）内に突入している。
図６（ｄ）、図７（ａ）（ｃ）に示すように、ラックギヤ７３は、後枠材８１の内側上面に乗り上げた状態で後枠材８１内に突入し、ピニオンギヤ８３と噛合している。
【００３２】
図７（ａ）（ｂ）（ｃ）に示すように、前部カム７４に取り付けられたばね受け７５と、後部カム８４に取り付けられたばね受け８５との間には、ばね（引っ張りコイルばね）９が掛けられている。
【００３３】
図７（ａ）（ｂ）（ｃ）に示す引き戸１００が手動操作で開閉させる領域であるニュートラル位置にあるときには、前部カム７４の揺動軸７４ｂは、揺動軸支持孔７１ｂの下端部から、直線長孔４１前端部の係合部４１ａ内に位置し、前部カム７４がロックされた状態にある。後部カム８４も同様にロックされた状態にあり、前部カム７４と後部カム８４のロックされた姿勢は、ばね９の引き方向の強い緊張力によって維持されている。
【００３４】
前部カム７４と後部カム８４が共にロックされた状態にあると、引き戸１００をニュートラル位置の範囲内で開閉操作すると、本体側レール４と前部進退ユニット７と後部進退ユニット８を含めたソフトクローザ本体３Ａ全体が開閉方向に移動する。引き戸１００を手動で開閉するニュートラル領域内に位置しているときには、前部トリガー２１は、前部カム７４の前方に位置している。
【００３５】
図８（ａ）（ｂ）（ｃ）に示すように、引き戸１００を手動で前方移動させると、ソフトクローザ３Ａ全体が前方に移動する。この移動によって前部カム７４のトリガー受け部７４ｃがトリガー２１をキャッチすると、前部カム８４の前部が上方に揺動して、揺動軸７４ｂが直線長孔４１の係合部４１ａから脱して、直線長孔４１の前端位置に移動し、前部カム７４のロックが解除された状態になる。
この状態になると、図９（ａ）（ｂ）（ｃ）に示すように、ばね９の引っ張り力によって、前部カム７４が長孔４１の後端に届く位置まで、後部進退ユニット８と本体側レール４が前方移動する。この移動は、ラックギヤ７３の前方移動にロータリーダンパー８２による制動トルクが加わるため、低速になる。図９（ａ）（ｂ）（ｃ）は、引き戸１００が閉じ終えた状態で示されている。
【００３６】
引き戸１００が閉じ終わると、前部カム７４は、ばね９の引っ張り力によってロックされた向きに戻る（ニュートラル位置と同じ状態になる）。
【００３７】
図１０（ａ）（ｂ）（ｃ）に示すように、引き戸１００を手動で後方移動させたときには、後部カム８４のトリガー受け部８４ｃがトリガー２２をキャッチし、後部カム８４の後部が上方に揺動して、揺動軸８４ｂが直線長孔４２の係合部４２ａから脱して直線長孔４２の前端位置に移動し、後部カム８４がロック解除された状態になる。
この状態になると、図１１（ａ）（ｂ）（ｃ）に示すように、ばね９の引っ張り力によって、後部カム８４が長孔４２の前端に届く位置まで、本体側レール４が前部進退ユニット７を引き連れて前方移動する。この移動は、ラックギヤ７３の後方前方移動にロータリーダンパー８２による制動トルクが加わるため、低速になる。
【００３８】
引き戸１００が開き終わると、後部カム８４は、ばね９の引っ張り力によってロックされた向きに戻る（ニュートラル位置と同じ状態になる）。
【００３９】
開き終えた引き戸１００を手動操作で閉じ方向に移動させると、前部カム８４がトリガー２１から外れる方向（後方）に移動し、ばね９の引っ張り力によってロックされた向きに回動する（ニュートラル位置と同じ状態になる）。
【００４０】
［前部カム７４と後部カム８４の向きと位置］
前部カム７４と後部カム８４のロック状態を要約する。
引き戸が手動で操作できる位置にあるときには、図１２（ａ）に示すように、前部カム７４と後部カム８４のいずれもロックした向きにある。
引き戸がばね付勢で前方移動するときには、図１２（ｂ）に示すように、前部カム７４はロック解除された向きにあり、後部カム８４はロックした向きのままである。
引き戸が閉じ終わると、図１２（ｃ）に示すように、前部カム７４はロック解除された向きで、前方に移動した前部側の直線長孔４１の後端に位置している。後部カム８４はロックした向きのままである。
引き戸がばね付勢で後方移動するときには、図１２（ｄ）に示すように、前部カム７４はロックされた向きのままであり、後部カム８４はロック解除された向きにある。
引き戸を開き終えると、図１２（ｄ）に示すように、前部カム７４はロックされた向きのままであり、後部カム８４はロック解除された向きで、後方に移動した後部側の直線長孔４２の前端に位置している。
【００４１】
図示していないが、前後の各直線長孔（４１，４１と４２，４と）が前後に繋がった（連続した）形状にして、引き戸のばね付勢による開閉量をさらに長くするようにしてもよい。
前部カム７４が前部側のトリガー２１をキャッチしたときに前部カム７４の向きがロックした向き及びロック解除した向きになったときに生じるカム音を抑えるためのクッション材を設けてもよい。後部カム８４の場合も同様にしてもよい。    
【００４２】
［第２実施形態のソフトクローザ本体３Ｂ］
図１３（ａ）（ｂ）に示す第２実施形態のソフトクローザ本体３Ｂは、前述したソフトクローザ３Ａと同様の基本構造と動作をする。このため、以下では、第２実施形態に係るソフトクローザ本体３Ｂに特有の構造について説明する。
【００４３】
案内レール部４３，４３は、図３に示す前部側の直線長孔４１，４１に代わるものであり、互いに対向する突条を有している。案内レール部４３，４３の前端部には下方に向けた係合部４３ａ，４３ａが設けられている。
【００４４】
前枠材７１の両側の前後個所にはローラー７５，７６が支持されている。ローラー７５，７６は、本体側レール４の両側壁の前部側に設けられた前後方向に向けた長孔５，４５内に支持されている。このため、本体側レール４と前部進退ユニッ７は、長孔４５，４５の範囲内で相互に前後移動可能な状態にある。
後枠材８１の両側の前後個所にもローラー８５，８６が支持されている。ローラー８５，８６は、本体側レール４の両側壁の後部側に設けられている前後方向に向けた長孔４６，４６内に支持されている。このため、本体側レール４と後部進退ユニッ８は、長孔４６，４６の範囲内で相互に前後移動可能な状態にある。
【００４５】
第２実施形態に係るソフトクローザ本体３Ｂにおいては、巻き取り型のばね装置が使用されている。
このばね装置は、ばね巻き取りケース９１内から後方にテープ状金属薄板製のばね９の一端部が繰り出され、さらにこの一端部がばね案内ケース９２内で折り返されて、ばね巻き取りケース９１に接続され、ばね９の他端部側がばね巻き取りケース９１内で巻き取り方向に付勢された構造を有する。
【００４６】
ばね巻き取りケース９１は、前部カム７４から後方に向けて連結されており、ばね案内ケース９２は、後部カム８４から前方に向けて連結されている。このため、前部カム７４は後方に、後部カム８４は前方に、夫々付勢されている。
【００４７】
前部カム７４は、前枠材７１の両側壁に上下揺動自在に支持されている。この支持は、前部カム７４の支軸７４ｄ，７４ｄと揺動軸７４ｂ，７４ｂが、本体側レール４の両側壁の内側面に設けられた前部側の案内レール部４３，４３内に突入して行われている。
【００４８】
案内レール部４３，４３は、図３に示す前部側の直線長孔４１，４１に代わるものであり、左右に対向する略楕円枠形形状の突条で形成されている。案内レール部４３，４３の前端部には下方に向けた係合部４３ａ，４３ａが設けられている。
【００４９】
後部カム８４は、前枠材７１の両側壁に上下揺動自在に支持されている。この支持は、後部カム７４の支軸８４ｄ，４４ｄと揺動軸８４ｂ，４４ｂが、本体側レール４の両側壁の内側面に設けられた後部側の案内レール部４４，４４内に突入して行われている。
案内レール部４４，４４は、図３に示す後部側の直線長孔４２，４２に代わるものであり、左右に対向する略楕円枠形形状の突条で形成されている。案内レール部４４，４４の後端部には下方に向けた係合部４４ａ，４４ａが設けられている。
【００５０】
図１３（ａ）（ｂ）に示すソフトクローザ本体３Ｂは、引き戸がニュートラル位置にあるときの状態で示されている。この状態では、前部カム７４は案内レール部４３，４３の前端位置でロックされており、後部カム８４は案内レール部４４，４４の後端位置でロックされている。
【００５１】
引き戸がばね付勢によって自動で閉じ始める状態にあるときには、図１４（ａ）に示すように、前部カム７４はロックが解除された向きになる。前部カム７４が図１３（ａ）に示す前部側のトリガー２１をキャッチすると、前部カム７４はロックが解除された向きになり、前部進退ユニット７と本体側レール４とによる前後移動の規制が解除される。このため、本体側レール４は前図１４（ｂ）に示す位置（引き戸が閉じ終える位置）まで、ばね付勢によって前方移動する。このとき、前部カム７４の支軸７４ｄ，７４ｄは、案内レール部４３，４３の後端に位置している。
【００５２】
引き戸を開ける方向に手動操作して、ソフトクローザ本体３Ｂを後方移動させ、後部カム８４が後部側のトリガー２２をキャッチすると、図１５（ａ）に示すように前部カム７４はロック解除された向きになり、後部進退ユニット７と本体側レール４とによる前後移動の規制が解除され、本体側レール４は図１５（ｂ）に示す位置（引き戸が開き終える位置）まで、ばね付勢によって後方移動する。このとき、前部カム７４は案内レール部４３，４３の前端に位置し、後部カム８４は案内レール部４４，４４の前端に位置している。
【００５３】
第２実施形態に係るソフトクローザ本体３Ｂの場合も、前部カム７４５と後部カム８４は、図１２に示す向きになる。
第２実施形態に係るソフトクローザ本体３Ｂの場合も、前後の各案内レール部（４３，４３と４４，４４）が前後に繋がった（連続した）形状にするとともに、前後の各長孔（４５，４５と４６，４６）も前後に繋がった（連続した）形状にして、引き戸のばね付勢による開閉量をさらに長くするようにしてもよい。
【産業上の利用可能性】
【００５４】
本発明に係るデュアルソフトクローザは、建築、建築金物の分野で利用される。
【符号の説明】
【００５５】
１      デュアルソフトクローザ
２      鴨居側レール
３Ａ    ソフトクローザ本体
４      本体側レール
４１    前部側の直線長孔
４１ａ  係合部
４２    後部側の直線長孔
４２ａ  係合部
５      引き戸吊り具
５３    前部ローラー
６      引き戸吊り具
６３    後部ローラー
７      前部進退ユニット
７１    前枠材
７１ａ  支軸孔
７１ｂ  揺動軸孔
７３    ラックギヤ
７４    前部カム
７４ｃ  トリガー受け部
７５    ばね受け
８      後部進退ユニット
８１    後枠材
８１ａ  支軸突入孔
８１ｂ  揺動軸支持孔
８２    ロータリーダンパー
８３    ピニオンギヤ
８４    後部カム
８４ｃ  トリガー受け部
８５    ばね受け
９      ばね
【図１】
2018159241.tif 000003
【図２】
2018159241.tif 000004
【図３】
2018159241.tif 000005
【図４】
2018159241.tif 000006
【図５】
2018159241.tif 000007
【図６】
2018159241.tif 000008
【図７】
2018159241.tif 000009
【図８】
2018159241.tif 000010
【図９】
2018159241.tif 000011
【図１０】
2018159241.tif 000012
【図１１】
2018159241.tif 000013
【図１２】
2018159241.tif 000014
【図１３】
2018159241.tif 000015
【図１４】
2018159241.tif 000016
【図１５】
2018159241.tif 000017